(57)【特許請求の範囲】
【請求項１】
少なくともスピーカ、電話機能、およびアラーム機能を備える携帯端末であって、
通知音を前記スピーカに出力する出力部、
前記電話機能についての第１通知音の音量を設定する第１通知音設定部、
前記アラーム機能についての第２通知音の音量を個別に設定する第２通知音設定部、
少なくともアラームを報知する日時を設定するアラーム設定部、
電話着信があるときの前記携帯端末の向きが裏向きかどうかを判断する向き判断部、
前記向き判断部によって前記携帯端末の向きが裏向きでないことが判断されたとき、前記第１通知音設定部によって設定された前記第１通知音の音量で前記第１通知音の出力を開始し、前記向き判断部によって前記携帯端末の向きが裏向きであることが判断されたとき、前記第１通知音を出力しない、または前記第１通知音設定部によって設定された前記第１通知音の音量を低減させて前記第１通知音の出力を開始する、第１通知音制御部、
前記アラーム設定部によって設定された前記日時になると、前記第２通知音設定部によって設定された前記第２通知音の音量で前記第２通知音の出力を開始する、第２通知音制御部、
前記携帯端末を裏返したかどうかを判断する第１変化判断部、
前記携帯端末の向きが表向きから裏向きに、または、裏向きから表向きに変化されたかどかを判断する第２変化判断部、
前記第１変化判断部によって前記携帯端末を裏返していないことが判断されたとき、前記第１通知音の音量を変化させず、前記第１変化判断部によって前記携帯端末を裏返したことが判断されたとき、前記第１通知音の出力を停止または音量を低減させる、第３通知音制御部、および
前記第２変化判断部によって前記携帯端末の向きが表向きから裏向きに、または、裏向きから表向きに変化されたことが判断されたとき、前記第２通知音の出力を停止させる、第４通知音制御部を備える、携帯端末。
【請求項２】
前記スピーカは、前記携帯端末の筐体に内蔵され、
前記筐体の裏面に、前記スピーカに通じる開口が形成される、請求項１記載の携帯端末。
【請求項３】
前記携帯端末を振動させる振動部、
前記振動のパターンを設定する振動パターン設定部、および
前記アラーム設定部によって設定された前記日時になると、前記振動パターン設定部によって設定された前記振動のパターンに従って前記振動部の動作を開始させる、第１振動制御部をさらに備える、請求項１または２記載の携帯端末。
【請求項４】
前記第２変化判断部によって前記携帯端末の向きが表向きから裏向きに、または、裏向きから表向きに変化されたことが判断されたとき、前記振動部を停止させる、第２振動制御部をさらに備える、請求項３記載の携帯端末。
【請求項５】
加速度センサをさらに備え、
前記向き判断部は、前記加速度センサによって検出される加速度に基づいて、前記携帯端末の向きが裏向きかどうかを判断し、
前記第１変化判断部は、前記加速度センサによって検出される加速度に基づいて、前記携帯端末を裏返したかどうかを判断し、
前記第２変化判断部は、前記加速度センサによって検出される加速度に基づいて、前記携帯端末の向きが表向きから裏向きに変化したかどうかを判断するとともに、前記携帯端末の向きが裏向きから表向きに変化したかどうかを判断する、請求項１記載の携帯端末。
【請求項６】
発光部、および
前記アラーム設定部によって設定された前記日時になると、前記発光部を所定のパターンで点滅を開始させ、前記第２変化判断部によって前記携帯端末の向きが表向きから裏向きに、または、裏向きから表向きに変化されたことが判断されたとき、前記発光部の点滅を停止させる、発光制御部をさらに備える、請求項１記載の携帯端末。
【請求項７】
少なくともスピーカ、電話機能、アラーム機能および通知音を前記スピーカに出力する出力部を備える携帯端末の制御プログラムであって、
前記携帯端末のプロセッサに、
前記電話機能についての第１通知音の音量を設定する第１通知音設定ステップ、
前記アラーム機能についての第２通知音の音量を設定する第２通知音設定ステップ、
少なくともアラームを報知する日時を設定するアラーム設定ステップ、
電話着信があるときの前記携帯端末の向きが裏向きであるかどうかを判断する向き判断ステップ、
前記向き判断ステップによって前記携帯端末の向きが裏向きでないことが判断されたとき、前記第１通知音設定ステップによって設定された前記第１通知音の音量で前記第１通知音の出力を開始し、前記向き判断ステップによって前記携帯端末の向きが裏向きであることが判断されたとき、前記第１通知音を出力しない、または前記第１通知音設定ステップによって設定された前記第１通知音の音量を低減させて前記第１通知音の出力を開始する、第１通知音制御ステップ、
前記アラーム設定ステップによって設定された前記日時になると、前記第２通知音設定ステップによって設定された前記第２通知音の音量で前記第２通知音の出力を開始する、第２通知音制御ステップ、
前記携帯端末を裏返したかどうかを判断する第１変化判断ステップ、
前記携帯端末の向きが表向きから裏向きに、または、裏向きから表向きに変化されたかどかを判断する第２変化判断ステップ、
前記第１変化判断ステップによって前記携帯端末を裏返していないことが判断されたとき、前記第１通知音の音量を変化させず、前記第１変化判断ステップによって前記携帯端末を裏返したことが判断されたとき、前記第１通知音の出力を停止または音量を低減させる第３通知音制御ステップ、および
前記第２変化判断ステップによって前記携帯端末の向きが表向きから裏向きに、または、裏向きから表向きに変化されたことが判断されたとき、前記第２通知音の出力を停止させる、第４通知音制御ステップを実行させる、携帯端末の制御プログラム。
【発明の詳細な説明】
【技術分野】
【０００１】
この発明は携帯端末および携帯端末の制御プログラムに関し、特にたとえば、通知音を発生する、携帯端末および携帯端末の制御プログラムに関する。
【背景技術】
【０００２】
この種の携帯端末の一例が特許文献１に開示されている。この特許文献１の携帯電話機では、着信があったときにスピーカ面が下を向いている場合、それ以外の場合よりも、着信音の音量が大きくなるように調整される。
【０００３】
また、この種の携帯端末の他の例が特許文献２に開示されている。この特許文献２の携帯端末では、着信時に、携帯端末の静止状態を検出し、かつ、当該端末の傾きが予め設定された傾きと等しい範囲内の状態を検出している場合、振動による報知に代えて視覚に訴える手段により、着信があることが報知される。
【特許文献１】特開２００６−８６９６３[H04M 1/00]
【特許文献２】特開２００８−９２１６４[H04M 1/00]
【発明の概要】
【発明が解決しようとする課題】
【０００４】
しかし、特許文献１では、単にスピーカ面が下向きの場合に、着信音の音量を大きくするだけであり、会議中である場合、公共施設内に存在する場合、または公共の交通手段を利用中である場合のように、音を出すことが迷惑な状況においては、適切な動作ないし処理ではない。また、着信音を停止させるためには、たとえば、着信を保留したり、着信を拒否（通信を切断）したりする所定のボタンを操作する必要がある。
【０００５】
これに対して、特許文献２では、所定の条件を満たした場合には、振動による報知に代えて視覚に訴える手段により、着信が報知されるため、特許文献１のような不適切な動作ないし処理を回避することができる場合があると考えられる。しかし、特許文献２では、所定の条件を満たすように、携帯端末を置いたり所持したりする必要があるため、そのような条件を満たさない場合には、振動により報知することが適切でない状況においても、着信に応じて振動してしまうおそれがある。この振動を停止させるためには、特許文献１の場合と同様に、着信を保留したり、着信を拒否したりする所定のボタンを操作する必要がある。
【０００６】
それゆえに、この発明の主たる目的は、新規な、携帯端末および携帯端末の制御プログラムを提供することである。
【０００７】
また、この発明の他の目的は、迅速に通知音の出力を停止または音量を低減することができる、携帯端末および携帯端末の制御プログラムを提供することである。
【課題を解決するための手段】
【０００８】
この発明は、少なくともスピーカ、電話機能、およびアラーム機能を備える携帯端末であって、通知音をスピーカに出力する出力部、電話機能についての第１通知音の音量を設定する第１通知音設定部、アラーム機能についての第２通知音の音量を設定する第２通知音設定部、少なくともアラームを報知する日時を設定するアラーム設定部、電話着信があるときの携帯端末の向きが裏向きであるかどうかを判断する向き判断部、向き判断部によって携帯端末の向きが裏向きでないことが判断されたとき、第１通知音設定部によって設定された第１通知音の音量で第１通知音の出力を開始し、向き判断部によって携帯端末の向きが裏向きであることが判断されたとき、第１通知音を出力しない、または通知音設定部によって設定された第１通知音の音量を低減させて第１通知音の出力を開始する、第１通知音制御部、アラーム設定部によって設定された日時になると、通知音設定部によって設定された第２通知音の音量で第２通知音の出力を開始する、第２通知音制御部、携帯端末の向きが表向きから裏向きに変化されたかどうかを判断する第１変化判断部、携帯端末を裏返したかどうかを判断する第２変化判断部、第１変化判断部によって携帯端末を裏返していないことが判断されたとき、第１通知音の音量を変化させず、第１変化判断部によって携帯端末を裏返したことが判断されたとき、第１通知音の出力を停止または音量を低減させる、第３通知音制御部、および第２変化判断部によって携帯端末の向きが表向きから裏向きに、または、裏向きから表向きに変化されたことが判断されたとき、第２通知音の出力を停止させる、第４通知音制御部を備える、携帯端末である。
【０００９】
他の発明は、少なくともスピーカ、電話機能、アラーム機能および通知音をスピーカに出力する出力部を備える携帯端末の制御プログラムであって、携帯端末のプロセッサに、電話機能についての第１通知音の音量を設定する第１通知音設定ステップ、アラーム機能についての第２通知音の音量を設定する第２通知音設定ステップ、少なくともアラームを報知する日時を設定するアラーム設定ステップ、電話着信があるときの携帯端末の向きが裏向きであるかどうかを判断する向き判断ステップ、向き判断ステップによって携帯端末の向きが裏向きでないことが判断されたとき、第１通知音設定ステップによって設定された第１通知音の音量で第１通知音の出力を開始し、向き判断ステップによって携帯端末の向きが裏向きであることが判断されたとき、第１通知音を出力しない、または第１通知音設定ステップによって設定された第１通知音の音量を低減させて第１通知音の出力を開始する、第１通知音制御ステップ、アラーム設定ステップによって設定された日時になると、第２通知音設定ステップによって設定された第２通知音の音量で第２通知音の出力を開始する、第２通知音制御ステップ、携帯端末を裏返したかどうかを判断する第１変化判断ステップ、携帯端末の向きが表向きから裏向きに、または、裏向きから表向きに変化されたかどかを判断する第２変化判断ステップ、第１変化判断ステップによって携帯端末を裏返していないことが判断されたとき、第１通知音の音量を変化させず、第１変化判断ステップによって携帯端末を裏返したことが判断されたとき、第１通知音の出力を停止または音量を低減させる第３通知音制御ステップ、および第２変化判断ステップによって携帯端末の向きが表向きから裏向きに、または、裏向きから表向きに変化されたことが判断されたとき、第２通知音の出力を停止させる、第４通知音制御ステップを実行させる、携帯端末の制御プログラムである。
【発明の効果】
【００１０】
この発明によれば、たとえば、携帯端末を裏返すような直感的な操作で簡単に通知音の出力を停止または音量を低減させることができる。
【００１１】
この発明の上述の目的，その他の目的，特徴および利点は、図面を参照して行う以下の実施例の詳細な説明から一層明らかとなろう。
【図面の簡単な説明】
【００１２】
【図１】図１はこの発明の一実施例の携帯電話機の電気的な構成を示すブロック図である。
【図２】図２は図１に示す携帯電話機を折り畳んだ状態の外観を示す図である。
【図３】図３は図１に示す携帯電話機を開いた状態の外観を示す図である。
【図４】図４は図１に示すＲＡＭのメモリマップを示す図である。
【図５】図５は図４に示すデータ記憶領域の具体的な内容を示す図である。
【図６】図６は図１に示すプロセッサの電話着信処理の一部を示すフロー図である。
【図７】図７は図１に示すプロセッサの電話着信処理の他の一部であって、図６に後続するフロー図である。
【図８】図８は図１に示すプロセッサのメール着信処理の一部を示すフロー図である。
【図９】図９は図１に示すプロセッサのメール着信処理の他の一部であって、図８に後続するフロー図である。
【図１０】図１０は図１に示すプロセッサのアラーム処理の一部を示すフロー図である。
【図１１】図１１は図１に示すプロセッサのアラーム処理の他の一部であって、図１０に後続するフロー図である。
【発明を実施するための形態】
【００１３】
図１を参照して、この実施例の携帯電話機１０は、携帯端末の一種であり、コンピュータまたはＣＰＵと呼ばれるプロセッサ２６を含む。また、プロセッサ２６には、無線通信回路１４、Ａ／Ｄ変換器１６、Ｄ／Ａ変換器２０ａ、Ｄ／Ａ変換器２０ｂ、アンプ２２ａ、アンプ２２ｂ、キー入力装置２８、表示ドライバ３０、フラッシュメモリ３４、ＲＡＭ３６、加速度センサ３８、モータドライバ４０およびＬＥＤ４４が接続される。
【００１４】
無線通信回路１４にはアンテナ１２が接続される。また、Ａ／Ｄ変換器１６にはマイク１８が接続される。Ｄ／Ａ変換器２０ａにはアンプ２２ａを介してスピーカ２４ａが接続され、Ｄ／Ａ変換器２０ｂにはアンプ２２ｂを介してスピーカ２４ｂが接続される。さらに、表示ドライバ３０にはディスプレイ３２が接続され、モータドライバ４０には振動モータ４２が接続される。
【００１５】
プロセッサ２６は携帯電話機１０の全体制御を司る。ＲＡＭ３６は、プロセッサ２６の作業領域（描画領域を含む）ないしバッファ領域として用いられる。フラッシュメモリ３４には、携帯電話機１０の文字、画像、音声、音および映像のようなコンテンツのデータが記憶される。
【００１６】
Ａ／Ｄ変換器１６は、当該Ａ／Ｄ変換器１６に接続されたマイク１８を通して入力される音声ないし音についてのアナログ音声信号を、デジタル音声信号に変換する。Ｄ／Ａ変換器２０ａは、デジタル音声信号をアナログ音声信号に変換（復号）し、アンプ２２ａを介してスピーカ２４ａに与える。同様に、Ｄ／Ａ変換器２０ｂは、デジタル音声信号をアナログ音声信号に変換し、アンプ２２ｂを介してスピーカ２４ｂに与える。したがって、アナログ音声信号に対応する音声ないし音は、スピーカ２４ａやスピーカ２４ｂから出力される。
【００１７】
キー入力装置２８は、通話キー、終話キー、機能キー、カーソルキーおよび決定キーなどを備えるとともに、「０」−「９」キー、「＊」キーおよび「＃」キーを含むダイヤルキーを備える。そして、使用者が操作したキーの情報（キーデータ）はプロセッサ２６に入力される。また、キー入力装置２８に含まれる各キーが操作されると、クリック音がスピーカ２４ｂ（スピーカ２４ａでもよい）から出力される。したがって、使用者は、クリック音を聞くことで、キー操作に対する操作感を得ることができる。また、キー入力装置２６に含まれる各キーが操作された場合に、フィードバック音の出力に代えて携帯電話機１０が振動されても良いし、フィードバック音の出力とともに携帯電話機１０が振動されても良い。この場合、使用者は、振動により、キー入力操作に対する操作感を得ることができる。
【００１８】
また、プロセッサ２６は、カーソルキーに対して行われたキー操作に応じて、音量を調整する信号をアンプ２２ａ、２２ｂに出力する。したがって、アンプ２２ａ、２２ｂでは、増幅率が変化される。つまり、使用者は、カーソルキーを操作することで、スピーカ２４ａおよびスピーカ２４ｂから出力される音声ないし音の音量を調節することができる。ただし、音声ないし音の音量は、音声ないし音が出力されているときに調整することができるが、電話の着信音、電子メールの着信音（新着メール通知の通知音）、アラーム音などの通知音（報知音）の音量は、使用者によって予め設定することが可能である。同様に、通知音やアラーム音の種類も、使用者によって予め設定することが可能である。
【００１９】
表示ドライバ３０は、プロセッサ２６の指示の下、当該表示ドライバ３０に接続されたディスプレイ３２の表示を制御する。なお、表示ドライバ３０は表示する画像データを一時的に記憶するビデオメモリ（図示せず）を含む。
【００２０】
加速度センサ３８は、たとえば、３軸の加速度センサであり、３軸方向のそれぞれについての加速度に対応する加速データをプロセッサ２６に出力する。プロセッサ２６は、加速度センサ３８からの加速度データが示す加速度およびその変化に基づいて、携帯電話機１０の向き（姿勢）および動き（姿勢の変化）を知ることができる。
【００２１】
振動モータ４２は、たとえば偏心モータであり、プロセッサ２６からの指示の下、モータドライバ４０からの駆動信号によって動作する。この振動モータ４２が動作されると、携帯電話機１０が振動する。振動モータ４２は、電話の着信（電話着信）や新規メール通知（メール着信）が有る場合やアラームの警報タイミングになった場合に、所定のパターン（振動パターン）で振動するように動作される。ただし、振動パターンは、使用者によって予め設定することが可能である。詳細な説明は省略するが、振動パターンは、振動モータ４２に電圧を付与する区間と付与しない区間との時間間隔の組み合わせを変化させることにより、複数種類用意されている。
【００２２】
ＬＥＤ４４は、プロセッサ２６の制御によって、点灯および消灯または点滅が制御される。ＬＥＤ４４は、電話着信やメール着信が有る場合やアラームの警報タイミングになった場合に、所定のパターン（点滅パターン）で点滅される。ただし、点滅パターンは、使用者によって予め設定することが可能である。また、ＬＥＤ４４は、点滅させずに、単に点灯させてもよい。詳細な説明は省略するが、点滅パターンは、ＬＥＤ４４に電圧を付与する区間と付与しない区間との時間間隔の組み合わせを変化させることにより、複数種類用意されている。
【００２３】
なお、使用するＬＥＤ４４によっては、点灯させる色を変化させることができるため、かかる場合には、点灯させる色も設定することが可能であるが、本願発明の本質的な内容ではないため、色の設定については省略する。
【００２４】
無線通信回路１４は、ＣＤＭＡ方式での無線通信を行うための回路である。たとえば、使用者がキー入力装置２８を用いて電話発信（発呼）を指示すると、無線通信回路１４は、プロセッサ２６の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２６は通話処理を実行する。
【００２５】
図２（Ａ）、（Ｂ）は、携帯電話機１０の閉状態の外観を示す図解図であり、図３は、携帯電話機１０の開状態の外観を示す図解図である。図２（Ａ）、（Ｂ）を参照して、携帯電話機１０は、各々が平面矩形の第１筐体５０および第２筐体５２を有する。図面では分かり難いが、第１筐体５０と第２筐体５２とはヒンジ５４によって回動可能に連結される。したがって、携帯電話機１０は、開閉可能な構成にされる。
【００２６】
第１筐体５０にはディスプレイ３２が設けられ、第２筐体５２にはキー入力装置２８が設けられる。図２（Ａ）、（Ｂ）および図３を参照して分かるように、キー入力装置２８およびディスプレイ３０は、携帯電話機１０の開状態において、露出し、携帯電話機１０の閉状態において、対面するように、配置される。
【００２７】
図１に示した加速度センサ３８は、第２筐体５２の内部に設けられる。図２（Ａ）に示すように、閉状態で第１筐体５０が上側にされた状態において、携帯電話機１０の横方向（短手方向）が加速度センサ３８のＸ軸方向であり、携帯電話機１０の縦方向（長手方向）が加速度センサ３８のＹ軸方向であり、携帯電話機１０の高さ方向（厚み方向）が加速度センサ３８のＺ軸方向である。また、図２（Ａ）に示すように、携帯電話機１０の右方向がＸ軸のプラス方向であり、水平面内における上方向がＹ軸方向のプラス方向であり、水平面に対して垂直上方向がＺ軸方向のプラス方向である。
【００２８】
この実施例では、携帯電話機１０が閉状態である場合には、第１筐体５０が上側にされている状態を表向きの状態とし、第２筐体５２が上側にされている状態を裏向きの状態とする。また、この実施例では、携帯電話機１０が開状態である場合には、図３に示すように、キー入力装置２８およびディスプレイ３０が上側を向いている状態を表向きの状態とし、図示は省略するが、キー入力装置２８およびディスプレイ３０が下側を向いている状態を裏向きの状態とする。
【００２９】
したがって、たとえば、プロセッサ２６は、加速度センサ３８から入力される加速度データに対応するＺ軸方向の加速度が重力加速度ｇ（≒９．８ｍ／ｓ２）に一致ないしほぼ一致する場合に、携帯電話機１０が裏向きの状態であると判断する。一方、プロセッサ２６は、加速度センサ３８から入力される加速度データに対応するＺ軸方向の加速度が−ｇに一致ないしほぼ一致する場合に、携帯電話機１０が表向きの状態であると判断する。
【００３０】
また、上述したスピーカ２４ａは、第１筐体５０に内蔵され、図３に示すように、内蔵された第１筐体５０に通じる開口５０ａは、ディスプレイ３２の上方に設けられる。また、図３に示すように、上述したマイク１８は、第２筐体５２に内蔵され、内蔵されたマイク１８に通じる開口５２ａは第２筐体５２に設けられたキー入力装置２８の下方に設けられる。
【００３１】
上述したＬＥＤ４４は、第1筐体５０に内蔵され、内蔵されたＬＥＤ４４に通じる開口５２ｃは、図２（Ａ）に示すように、第１筐体５０の表面（上面）であり、第２筐体５２と連結される側に設けられる。さらに、上述したスピーカ２４ｂは、第２筐体５２に内蔵され、内蔵された第２筐体５２に通じる開口５２ｂは、図２（Ｂ）に示すように、第２筐体５２の裏面であり、第１筐体５０と連結される側に設けられる。
【００３２】
なお、図示は省略するが、携帯電話機１０の開状態および閉状態は、磁気センサおよび磁石などを利用して検出される。また、図示は省略するが、ヒンジ５４は、開状態および閉状態を保持するための保持機構を内部に有している。さらに、アンテナ１２、無線通信回路１４、プロセッサ２６、表示ドライバ３０、フラッシュメモリ３４、ＲＡＭ３６、加速度センサ３８、モータドライバ４０、振動モータ４２およびＬＥＤ４４は、第１筐体５０または第２筐体５２に内蔵されているため、図２（Ａ），（Ｂ）および図３では、省略してある。
【００３３】
ここで、通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０ａによってアナログ音声信号に変換された後、アンプ２２ａを介してスピーカ２４ａから出力される。一方、マイク１８を通して取り込まれた送話音声信号は、Ａ／Ｄ変換器１６によってデジタル音声信号に変換された後、プロセッサ２６に与えられる。デジタル音声信号に変換された送話信号には、プロセッサ２６の指示の下、無線通信回路１４によって符号化処理および変調処理が施され、アンテナ１２を介して出力される。したがって、変調音声信号は、基地局および通信網を介して相手の電話機に送信される。
【００３４】
また、相手の電話機からの電話発信信号がアンテナ１２によって受信されると、無線通信回路１４は、電話着信（着呼）をプロセッサ２６に通知する。これに応じて、プロセッサ２６は、使用者によってまたはデフォルトで設定された音量で、スピーカ２４ｂから着信音（着信メロディ、着信音声ということがある）を出力させる。このとき、プロセッサ２６は、使用者によってまたはデフォルトで設定された所定の点滅パターンで、ＬＥＤ４４を点滅させる。また、プロセッサ２６は、使用者によってまたはデフォルトで設定された所定の振動パターンで、振動モータ４２を動作させて、携帯電話機１０を振動させる。ただし、後で説明するように、設定により、着信音を出力しないようにしたり、振動モータ４２を動作させないようにしたりすることができる。また、着信通知についての設定（着信設定）の内容は、着信音の種類（種類情報）、着信通知の長さ（着信通知時間）、通知音の音量（音量情報）および点灯パターンである。ただし、振動パターンは、着信設定とは別のマナー設定の内容に含まれる。着信設定およびマナー設定については、後述するメール着信の着信通知についても同様である。
【００３５】
なお、電話着信時においては（メール着信時も同様）、ＬＥＤ４４を着信ランプと呼ぶことがある。
【００３６】
また、図３に示したように、携帯電話機１０が開状態である場合には、着信音の出力とほぼ同時に、プロセッサ２６は、表示ドライバ３０を制御して、着信通知に記述された発信元情報（電話番号など）をディスプレイ３２に表示する。
【００３７】
使用者が通話キーを用いて応答操作を行うと、無線通信回路１４は、プロセッサ２６の指示の下、電話着信処理を実行する。さらに、通信可能状態が確立され、プロセッサ２６は上述した通常の通話処理を実行する。ただし、使用者が応答操作を行うと、着信音の出力、着信ランプの点滅および振動は停止される。詳細な説明は省略するが、使用者が終話キーを用いて着信拒否の操作を行うと、通話が保留または通信が切断され、この場合にも、着信音の出力、着信ランプの点滅および振動は停止される。
【００３８】
また、通話可能状態に移行した後に終話キーによって通話終了操作が行われると、プロセッサ２６は、無線通信回路１４を制御して、通話相手に通話終了信号を送信する。通話終了信号の送信後、プロセッサ２６は通話処理を終了する。また、先に通話相手から通話終了信号を受信した場合も、プロセッサ２６は通話処理を終了する。さらに、通話相手によらず、移動通信網から通話終了信号を受信した場合も、プロセッサ２６は通話処理を終了する。
【００３９】
また、使用者は、電話着信時に着信音を出力しないための機能ないしモード（この実施例では、「マナーモード」という）を設定（オン）することができる。たとえば、使用者がマナーモードを設定すると、着信音やクリック音はスピーカ２４ｂから出力されないが、振動モータ４２が動作される。一方、使用者がマナーモードを解除（オフ）すると、通常モードとなり、着信音やクリック音はスピーカ２４ｂから出力されるが、振動モータ４２は動作されない。ただし、マナーモードが設定されていても、電話着信中は発信元情報がディスプレイ３２などに表示されたり、携帯電話機１０が振動したりするため、電話着信は使用者に通知される。また、マナーモードが設定されているか否かに拘わらず、電話着信時には、ＬＥＤ４４が点滅される。
【００４０】
さらに、マナーモードの設定とは別に、電話着信音を出力しないための機能ないしモード（この実施例では、「サイレントモード」という）を設定することもできる。たとえば、使用者がサイレントモードを設定すると、着信音やクリック音はスピーカ２４ｂから出力されない。ただし、サイレントモードが設定されているか否かに拘わらず、電話着信時には、ＬＥＤ４４が点滅されたり、携帯電話機１０が開状態では、発信元情報がディスプレイ３２に表示されたりするため、電話着信は使用者に通知される。
【００４１】
なお、通常モードやサイレントモードの場合においても、いわゆるバイブレータ機能を使用する場合には、電話着信に応じて振動モータ４２が動作される。しかし、この実施例では、簡単のため、バイブレータ機能についての説明は省略することにする。以下、メール着信やアラームの場合についても同様である。
【００４２】
また、マナーモードやサイレントモードが設定されている場合の動作については、後述する、メール着信時やアラームの実行時においても同様である。
【００４３】
また、携帯電話機１０は、電子メール機能を備えている。たとえば、他の端末から携帯電話機１０宛ての電子メールが有る場合には、メールサーバ（図示せず）から新着メールの通知（新着メール通知）が当該携帯電話機１０に送信される。携帯電話機１０では、プロセッサ２６が、アンテナ１２および無線通信回路１４を介して、新着メール通知を受信すると、メール着信の通知音をスピーカ２４ｂから出力する。このとき、ＬＥＤ４４が所定の点滅パターンで点滅される。ただし、マナーモードが設定されている場合には、メール着信の通知音が出力されずに、振動モータ４２が所定の振動パターンで動作される。また、サイレントモードが設定されている場合には、メール着信の通知音は出力されない。
【００４４】
メール着信が有ると、その後に、使用者がキー入力装置２８を操作して、電子メールの受信を指示すると、携帯電話機１０はメールサーバにアクセスし、新着の電子メールを受信する。場合（設定）によっては、使用者の操作なしに、携帯電話機１０は、自動でメールサーバにアクセスして、電子メールを受信する。受信した電子メールのデータ、フラッシュメモリ３４やＲＡＭ３６に記憶される。また、使用者の表示操作に従って、受信した電子メールの内容が表示される。
【００４５】
ただし、メール着信の通知音、着信ランプの点滅および振動は、メール着信の着信設定における着信通知時間が示す着信通知の長さに相当する時間が経過した場合や使用者が何らかのキーを操作（着信通知の終了操作）した場合に停止される。
【００４６】
なお、詳細な説明は省略するが、電子メールを送信する場合には、電子メール（新規メールや返信メール）を作成するための画面が表示され、宛先、件名、本文を入力（編集）したり、添付ファイルなどを添付したりすることができる。電子メールを作成した後に、使用者がキー入力装置２８を操作して、電子メールの送信を指示すると、作成された電子メールがメールサーバに送信される。
【００４７】
さらに、携帯電話機１０はアラーム機能を備えている。使用者は、キー入力装置２８を用いて、アラームを設定することができる。具体的には、アラームの設定内容は、アラームを実行するかどうかの情報（実行情報）、アラームを実行する時刻の情報（時刻情報）、アラームを実行する月日（または毎日、曜日）についての情報（月日情報）、アラーム音の種類の情報（種類情報）、アラーム音を出力するまたは振動させる時間（アラーム報知時間）、アラーム音の音量についての情報（音量情報）、スヌーズ機能を使用するかどうかの情報（スヌーズ設定情報）、スヌーズの時間間隔についての情報（スヌーズ間隔）およびＬＥＤ４４の点滅パターンである。ただし、実行情報は、アラームを実行する場合（有効）とアラームを実行しない場合（無効）との間で切り換えられる。また、アラーム報知時間は、使用者が可変的に設定することができる。さらに、スヌーズ設定情報は、スヌーズを実行する場合（有効）とスヌーズを実行しない場合（無効）との間で切り換えられる。
【００４８】
なお、スヌーズ機能とは、一端アラームを止めても、暫くして再びアラームを実行する機能を意味し、携帯電話機１０では、再び実行するまでの時間間隔（スヌーズ間隔）が使用者によって設定可能である。
【００４９】
このようなアラームの設定内容に従って、アラームの警報タイミングになると、つまり月日情報および時刻情報によって示される日時になると、種類情報が示すアラーム音がスピーカ２４ｂから出力される。このとき、ＬＥＤ４４は所定の点滅パターンで点滅される。ただし、マナーモードが設定されている場合には、アラーム音が出力されずに、振動モータ４２が所定の振動パターンで振動される。また、サイレントモードが設定されている場合には、アラーム音は出力されない。
【００５０】
使用者がキー入力装置２８を操作することにより、アラームの停止が指示されると、アラーム音の出力が停止されるとともに、ＬＥＤ４４が消灯される。ただし、マナーモードが設定されている場合には、振動が停止されるとともに、ＬＥＤ４４が消灯される。また、サイレントモードが設定されている場合には、ＬＥＤ４４が消灯される。
【００５１】
月日情報として、１日（１回）だけアラームを実行することが設定されている場合には、アラームが停止されたり、スヌーズが解除されたりすると、実行情報が無効に設定される。しかし、月日情報として、特定の曜日などが設定されていれば、アラームが停止されたり、スヌーズが解除されたりしても、実行情報は無効にされない。したがって、アラームの設定内容に従って、次回のアラームが実行される。また、スヌーズが設定されている場合には、アラームが停止されると、スヌーズ間隔を経過したときに、再びアラームが実行される。
【００５２】
上述したように、携帯電話機１０では、マナーモードやサイレントモードが設定されていない場合には、電話着信やメール着信が有ると、着信音がスピーカ２４ｂから出力される。また、マナーモードやサイレントモードが設定されていない場合には、アラームの警報タイミングになると、アラーム音がスピーカ２４ｂから出力される。さらに、マナーモードが設定されている場合であっても、携帯電話機１０が電話着信やメール着信が有る場合やアラームの警報タイミングになった場合には、振動モータ４２が動作され、携帯電話機１０が振動する。
【００５３】
たとえば、会議室、公共の場所や公共の交通機関などのように、着信音やアラーム音が鳴ることや携帯電話機１０が振動することが適切でない場所や場合（場面）においては、着信音やアラーム音の出力を停止または音量を低減させたり、携帯電話機１０の振動を停止または振動の強度を低減させたりしたい場合がある。
【００５４】
しかし、着信音やアラーム音の出力を停止または音量を低減させたり、携帯電話機１０の振動を停止または振動の強度を低減させたりする場合には、所定のキーを操作することにより、着信を拒否（通信を切断）したり、着信音の出力を停止させたり、アラームを停止させたり、音量を低減させたり必要がある。したがって、所定のキーを探したり、操作したりするのが面倒である。また、着信音やアラーム音が鳴ることや携帯電話機１０が振動することが適切でない場所から離れて、電話着信に応答したい場合には、着信音の出力等を停止させるために通信を切断してしまうと、電話を掛け直す必要があり、面倒である。
【００５５】
そこで、この実施例では、直感的な操作で簡単に着信音やアラーム音の出力や携帯電話機１０の振動を停止ないし振動の強度を低減させるようにしてある。したがって、電話着信が有る場合には、着信音の出力を停止ないし音量を低減させるだけなので、着信音が鳴ることが適切でない場所から離れた場合には、当該電話着信に応答して、通話することができる。このため、継続して使用すること（継続使用）が容易である。
【００５６】
以下、電話着信の場合、メール着信の場合およびアラームの場合のそれぞれについて具体的に説明することにする。
【００５７】
＜電話着信の場合＞
電話着信が有ると、通常モード、マナーモードおよびサイレントモードの各モードに応じて、携帯電話機１０は着信時の処理（着信処理）を実行する。ただし、上述したように、種類情報、着信通知時間、音量情報および点滅パターンは、使用者によってまたはデフォルトで予め決定されている。この実施例では、電話着信の場合には、着信通知時間が示す時間（所定時間）をＴａで表し、音量情報が示す音量（設定音量）をＶａ１で表すことにする。たとえば、所定時間Ｔａは１０秒から３０秒の間で設定可能であり、設定音量Ｖａ１はレベルＬ１−Ｌ５で設定可能である。この実施例では、レベルＬ５の場合に、着信音の音量Ｖは最大であり、レベルＬ１の場合に、着信音の音量Ｖは最低であり、レベルＬ０の場合に、音量なし（Ｖ＝０）である。つまり、設定音量Ｖａ１がレベルＬ０に設定されると、サイレントモードになる。このサイレントモードのときの設定音量をＶａ０と表すことにする。
【００５８】
また、マナーモードでは、上述したように、マナー設定として振動パターンの種類が、使用者によってまたはデフォルトで予め設定されている。たとえば、振動パターンは、振動モータ４２に駆動電圧を印加する第１期間と、振動モータ４２に駆動電圧を印加しない第２期間とによって決定される。ただし、この実施例では、簡単のため、異なる振動パターンであっても、駆動電圧を印加する第１期間の長さは一定とする。したがって、振動モータ４２に駆動電圧を印加しない第２期間の長さ（時間間隔Ｔ）が短い程、振動が強いと感じられ、逆に、時間間隔Ｔが長い程、振動が弱いと感じられる。この実施例では、時間間隔Ｔは０．５秒〜２秒の間で設定可能であり、使用者によってまたはデフォルトで設定された時間間隔（設定時間）をＴ１で表すことにする。なお、マナー設定は、電話着信、メール着信およびアラームについて共通である。
【００５９】
着信音が出力されたり、振動が発生されたりしている場合に、使用者が携帯電話機１０を裏返すと、着信音の音量や振動の強さが低減される。具体的には、音量Ｖが設定音量Ｖａ１から最低の音量（微弱音量）Ｖａ２に変更され、時間間隔Ｔが設定時間Ｔ１から最大の時間間隔（最大時間）Ｔ２に変更される。この実施例では、微弱音量Ｖａ２は、レベルＬ１の音量である。また、最大時間Ｔ２は、時間間隔の最大値（この実施例では、２秒）である。
【００６０】
ただし、この実施例では、携帯電話機１０を裏返すと言う場合には、図２（Ａ）に示す表向きの状態から図２（Ｂ）に示す裏向きの状態に変化すること、および裏向きの状態から表向きの状態に変化することをいう。この場合には、加速度センサ３８のＺ軸方向の加速度は、重力加速度ｇと同じ大きさまたはほぼ同じ大きさであり、変化の前後で極性（＋、−）が反転する。
【００６１】
また、図示は省略するが、この実施例の携帯電話機１０では、３軸の加速度セン３８を設けているため、携帯電話機１０の長手方向の軸（加速度センサの座標系のＹ軸方向）回りに、携帯電話機１０を回転させた場合にも、Ｘ軸方向の加速度が変化するため、これによって、携帯電話機１０が裏返しにされたことを検出するようにしてもよい。
【００６２】
さらに、加速センサ３８に代えて、３軸のジャイロセンサを設けるようにすれば、いずれの方向に回転させたとしても、携帯電話機１０が裏返しにされたことを角速度の変化によって知ることができる。
【００６３】
したがって、マナーモードやサイレントモードの設定を忘れていた場合であっても、携帯電話機１０を裏返すことにより、着信音の音量や振動の強さを低減することができるので、着信音の出力や振動の発生が不適切な場所や場合にも、直感的な操作で簡単に着信音の音量や振動の強さを低減することができる。また、通信を切断する（電話を切る）必要がないため、場所を移動することにより、そのまま通話を開始することができる。つまり、継続使用を容易にすることができる。
【００６４】
ただし、サイレントモードが設定されている場合には、音量Ｖ＝Ｖａ０であるため、携帯電話機１０の向きによって、音量Ｖや時間間隔Ｔが変更されることはない。
【００６５】
また、この実施例では、着信処理の開始時において、携帯電話機１０が裏向きにされている場合には、着信音の音量Ｖは最初から微弱音量Ｖａ２に設定され、振動モータ４２に与えられる駆動電圧の時間間隔Ｔは最初から最大時間Ｔ２に設定される。このため、マナーモードやサイレントモードを設定しなくても、携帯電話機１０を裏向きで机上においたり、把持したりするだけで、着信音の音量や振動の強度が低減されるので、それらのモードと同等の設定を簡単に行うことができる。
【００６６】
なお、上述したように、通常モード、マナーモードおよびサイレントモードのいずれの場合であっても、ＬＥＤ４４は点滅され、着信ランプによる着信通知は実行される。ただし、ＬＥＤ４４の点滅パターンは、使用者によって設定される。
＜メール着信の場合＞
通常モード、マナーモードおよびサイレントモードのいずれの場合も、電話着信の場合と同様に、新着メール通知すなわちメール着信の通知が行われる。したがって、重複する内容については、説明を省略することにする。
【００６７】
ただし、この実施例では、メール着信の場合には、着信通知時間が示す時間（所定時間）をＴｂで表し、音量情報が示す音量（設定音量）をＶｂ１で表すことにする。たとえば、所定時間Ｔｂは５秒から３０秒の間で設定可能であり、設定音量Ｖｂ１は、Ｖａ１と同様に、レベルＬ１−Ｌ５で設定可能である。また、レベルＬ０の場合に、音量なし（Ｖ＝０）である。つまり、設定音量Ｖｂ１がレベルＬ０に設定されると、サイレントモードになる。このサイレントモードのときの設定音量をＶｂ０と表すことにする。さらに、メール着信の場合には、レベルＬ１の微弱音量をＶｂ２と表すことにする。
【００６８】
メール着信の場合には、新着メール通知に応答して、使用者が携帯電話機１０を裏返しにすると、着信音の出力または振動が停止される。これは、電話着信の場合とは異なり、通話するようなリアルタイムのやり取りが無いからである。つまり、新着メール通知に対して、携帯電話機１０を裏返したということは、新着メールが有ることを使用者は認識したと考えることができ、それ以上、着信音を出力したり、振動させたりする必要が無いからである。
【００６９】
したがって、電話着信の場合と同様に、不適切な場所や場合において、着信音や振動が発生されても、携帯電話機１０を裏返すだけで、着信音の出力または振動を停止させることができるので、直感的な操作で簡単に着信音の出力または振動を停止させることができる。
＜アラームの場合＞
通常モード、マナーモードおよびサイレントモードのいずれの場合にも、電話着信やメール着信の場合と同様に、アラームの警報タイミングになると、アラームが実行される。
【００７０】
ただし、この実施例では、アラームの場合には、アラーム報知時間が示す時間（所定時間）をＴｃで表し、音量情報が示す音量（設定音量）をＶｃ１で表すことにする。たとえば、所定時間Ｔｃは３０秒から５分の間で設定可能であり、設定音量Ｖｃ１は、Ｖａ１と同様に、レベルＬ１−Ｌ５で設定可能である。また、レベルＬ０の場合に、音量なし（Ｖ＝０）である。つまり、設定音量Ｖｃ１がレベルＬ０に設定されると、サイレントモードになる。このサイレントモードのときの設定音量をＶｃ０と表すことにする。さらに、アラームが実行される場合には、ＬＥＤ４４をアラームランプということがある。
【００７１】
アラームの場合には、アラーム音や振動の発生中に、携帯電話機１０が裏返しにされると、アラーム音や振動が停止される。また、ＬＥＤ４４が消灯される。
【００７２】
したがって、電話着信やメール着信の場合と同様に、不適切な場所や場合において、アラーム音や振動が発生されても、携帯電話機１０を裏返すだけで、アラーム音の出力または振動を停止させることができるので、直感的な操作で簡単にアラーム音の出力または振動を停止させることができる。
【００７３】
ただし、スヌーズ機能が有効にされている場合には、スヌーズ機能が無効にされるまで、繰り返しアラームが実行される。また、この実施例では、アラーム音や振動を発生する際には、携帯電話機１０が裏向きにされている場合であっても、アラーム音の音量や振動の強さは低減されない。このような場合に、アラーム音の音量や振動の強度が低減されると、アラームとしての役割を果たせないからである。
【００７４】
図４は、図１に示したＲＡＭ３６のメモリマップ７０の例を示す。図４に示すように、ＲＡＭ３６は、プログラム記憶領域７２およびデータ記憶領域７２を含む。プログラム記憶領域７２には、携帯電話機１０の制御プログラムが記憶され、制御プログラムは、通話プログラム７２ａ、通信プログラム７２ｂ、音制御プログラム７２ｃ、振動モータ制御プログラム７２ｄ、ＬＥＤ制御プログラム７２ｅ、電話着信制御プログラム７２ｆ、メール着信制御プログラム７２ｇ、アラーム制御プログラム７２ｈおよび向き検出プログラム７２ｉなどによって構成される。
【００７５】
通話プログラム７２ａは、通話処理を実行するためのプログラムである。通信プログラム７２ｂは、電子メールの送受信処理や他の携帯電話機やコンピュータとの間で通信処理を実行するためのプログラムである。音制御プログラム７２ｃは、着信音やアラーム音を出力したり、停止したり、音量を変化させたりするためのプログラムである。振動モータ制御プログラム７２ｄは、振動モータ４２を動作させたり、停止させたり、振動の強度（振動パターン）を変化させたりするためのプログラムである。ＬＥＤ制御プログラム７２ｅは、ＬＥＤ４４を点灯させたり、点滅させたり、消灯させたりするためのプログラムである。
【００７６】
電話着信制御プログラム７２ｆは、電話着信時に、着信音の出力・停止や振動の発生・停止を制御したり、着信ランプの点滅（点灯）・消灯を制御したり、使用者の操作に応じて、応答・拒否を制御したりするためのプログラムである。メール着信制御プログラム７２ｇは、メール着信時に、着信音の出力・停止や振動の発生・停止を制御したり、着信ランプの点滅（点灯）・消灯を制御したりするためのプログラムである。アラーム制御プログラム７２ｈは、アラームの設定が有効にされている場合に、アラームの設定時刻に、アラーム音の出力・停止や振動の発生・停止を制御したり、アラームランプの点滅（点灯）・消灯を制御したりするためのプログラムである。向き検出プログラム７２ｉは、携帯電話機１０の向き（姿勢）およびその変化を検出するためのプログラムである。この実施例では、主として、表向きの状態または裏向きの状態が検出されるとともに、表向きから裏向きに変化したり、裏向きから表向きに変化したりしたことが検出される。
【００７７】
なお、図示は省略するが、プログラム記憶領域７２には、画面生成プログラムや画面表示プログラムなども記憶される。
【００７８】
図５は、データ記憶領域７４の具体的な内容の一例を示す。図５に示すように、データ記憶領域７４には、操作データバッファ７４ａおよび加速度データバッファ７４ｂが設けられる。また、データ記憶領域７４には、着信設定データ７４ｃ、アラーム設定データ７４ｄおよびマナー設定データ７４ｅが記憶される。さらに、データ記憶領域７４には、マナーフラグ７４ｆ、サイレントフラグ７４ｇおよび裏向きフラグ７４ｈが設けられる。さらにまた、データ記憶領域７４には、着信タイマ７４ｉ、アラームタイマ７４ｊおよびスヌーズタイマ７４ｋが設けられる。
【００７９】
操作データバッファ７４ａは、キー入力装置２８からのキーデータを記憶（一時記憶）する。この操作データバッファ７４ａに記憶されたキーデータは、プロセッサ２６の処理に用いられた後に削除（消去）される。加速度データバッファ７４ｂは、加速度センサ３８からの加速度データを一時記憶する。この加速度データバッファ７４ｂに記憶された加速度データは、プロセッサ２６の処理に用いられた後に削除される。
【００８０】
着信設定データ７４ｃは、使用者によってまたはデフォルトで設定された電話着信およびメール着信のそれぞれの着信設定の内容についてのデータある。上述したように、電話着信についての着信設定の内容は、種類情報、着信通知時間（所定時間Ｔａ）、音量情報（設定音量Ｖａ１）、および点滅パターンである。同様に、メール着信についての着信設定の内容は、種類情報、着信通知時間（所定時間Ｔｂ）、音量情報（設定音量Ｖｂ１）、および点滅パターンである。
【００８１】
アラーム設定データ７４ｄは、使用者によって設定されたアラームの設定内容についてのデータである。上述したように、アラームの設定内容は、実行情報、時刻情報、月日情報、種類情報、アラーム報知時間（設定時間Ｔｃ）、音量情報（設定音量Ｖｃ１）、スヌーズ設定情報、スヌーズ間隔および点滅パターンである。
【００８２】
なお、この実施例では、簡単のため、１つだけアラームを設定するようにしてあるが、アラームは、２つ以上設定することも可能である。かかる場合には、アラーム毎に、アラーム設定データが作成および記憶される。
【００８３】
マナー設定データ７４ｅは、使用者によってまたはデフォルトで設定された振動モータ４２の振動パターン（時間間隔Ｔ１）についてのデータである。ただし、マナーモードが設定されていない場合には、振動パターンなし（ｎｕｌｌ）のデータが記憶される。
【００８４】
マナーフラグ７４ｆは、マナーモードが設定されているかどうかを判別するためのフラグであり、１ビットのレジスタで構成される。マナーモードが設定された場合には、マナーフラグ７４ｆはオン（成立）され、レジスタにデータ値「１」が設定される。一方、マナーモードが設定されていない（解除された）場合には、マナーフラグ７４ｆはオフ（不成立）され、レジスタにデータ値「０」が設定される。
【００８５】
サイレントフラグ７４ｇは、サイレントモードが設定されているかどうかを判別するためのフラグであり、１ビットのレジスタで構成される。サイレントモードが設定された場合には、サイレントフラグ７４ｇがオンされ、レジスタにデータ値「１」が設定される。一方、サイレントモードが設定されていない（解除された）場合には、サイレントフラグ７４ｇはオフされ、レジスタにデータ値「０」が設定される。
【００８６】
なお、マナーモードとサイレントモードとの両方が同時に設定されることはないため、マナーフラグ７４ｆおよびサイレントフラグ７４ｇのうち、いずれか一方がオンである場合には、他方はオフされる。
【００８７】
裏向きフラグ７４ｈは、携帯電話機１０が裏向きであるかどうかを判別するためのフラグであり、１ビットのレジスタで構成される。携帯電話機１０が裏向きであれば、裏向きフラグ７４ｈはオンされ、レジスタにデータ値「１」が設定される。一方、携帯電話機１０が表向きであれば、裏向きフラグ７４ｈはオフされ、レジスタにデータ値「０」が設定される。
【００８８】
着信タイマ７４ｉは、電話着信およびメール着信の着信音を出力するまたは振動する時間（着信通知時間）をカウントするためのタイマである。上述したように、着信通知時間すなわち所定時間Ｔａ、Ｔｂは、使用者によってまたはデフォルトで設定される。ただし、電話着信とメール着信とが同時に行われることがないため、この実施例では、着信タイマ７４ｉを共通に使用するようにしてある。
【００８９】
アラームタイマ７４ｊは、アラーム音を出力または振動する所定時間Ｔｃ（アラーム報知時間）をカウントするためのタイマである。上述したように、所定時間Ｔｃは、使用者によって設定される。スヌーズタイマ７４ｋは、スヌーズ間隔をカウントするためのタイマである。上述したように、スヌーズ間隔は、使用者によって設定される。
【００９０】
なお、図示は省略するが、データ記憶領域７４には、携帯電話機１０の制御プログラムを実行するために必要な、画像データ、音データなどの他のデータが記憶されたり、他のフラグやタイマ（カウンタ）が設けられたりする。
【００９１】
以下、具体的なプロセッサ２６の処理について説明するが、電話着信処理、メール着信処理およびアラーム処理は、それぞれ別のタスクで並列的に実行される。ただし、図６および図７は電話着信処理を示し、図８および図９はメール着信処理を示し、図１０および図１１はアラーム処理を示す。
【００９２】
図６に示すように、プロセッサ２６は、待ち受け状態で、電話着信処理を開始すると、ステップＳ１で、電話着信があるかどうかを判断する。つまり、プロセッサ２６は、通話相手からの音声発信信号をアンテナ１２および無線通信回路１４を介して受信したかどうかを判断する。ステップＳ１で“ＮＯ”であれば、つまり電話着信が無ければ、そのまま同じステップＳ１に戻って、電話着信が有るのを待機する。つまり、待ち受け状態が継続する。一方、ステップＳ１で“ＹＥＳ”であれば、つまり電話着信が有れば、ステップＳ３で、音量Ｖおよび時間間隔Ｔを初期化する（Ｖ＝Ｖａ１、Ｔ＝Ｔ１）。つまり、音量Ｖが設定音量Ｖａ１に設定され、時間間隔Ｔが設定時間Ｔ１に設定される。
【００９３】
続くステップＳ５では、携帯電話機１０が裏向きであるかどうかを判断する。ここでは、プロセッサ２６は、裏向きフラグ７４ｈがオンであるかどうかを判断する。ただし、加速度センサ３８からの加速度データは毎フレーム検出され、加速度データバッファ７４ｂに記憶される。そして、図示しない別の処理によって、加速データバッファ７４ｂに記憶された加速度データに基づいて、裏向きフラグ７４ｈはオンまたはオフされる。なお、フレームは、プロセッサ２６が処理を実行する単位時間であり、たとえば、１フレームは１／６０秒に相当する。
【００９４】
ステップＳ５で“ＹＥＳ”であれば、つまり裏向きフラグ７４ｈがオンであれば、携帯電話機１０が裏向きであると判断し、ステップＳ７で、音量Ｖに微弱音量Ｖａ２を設定するとともに、時間間隔Ｔに最大時間Ｔ２を設定する（Ｖ＝Ｖａ２、Ｔ＝Ｔ２）。一方、ステップＳ５で“ＮＯ”であれば、つまり裏向きフラグ７４ｈがオフであれば、携帯電話機１０が裏向きでないと判断し、そのままステップＳ９に進む。
【００９５】
ステップＳ９では、マナーモードが設定されているかどうかを判断する。このステップＳ９では、プロセッサ２６は、マナーフラグ７４ｆがオンかどうかを判断する。ただし、マナーモードは、使用者の指示に従って設定されたり、解除されたりし、図示しない別の処理によってマナーフラグ７４ｆはオンまたはオフされる。以下、この実施例において同じ。また、後述するサイレントフラグ７４ｇについても同様に、使用者の指示に従って設定されたり、解除されたりし、別の処理によってオンまたはオフされるため、重複した説明は省略する。
【００９６】
ステップＳ９で“ＹＥＳ”であれば、つまりマナーフラグ７４ｆがオンであれば、マナーモードが設定されていると判断し、ステップＳ１１で、時間間隔Ｔで振動開始し、ステップＳ１９に進む。つまり、ステップＳ１１では、プロセッサ２６の指示の下、設定時間Ｔ１または最大時間Ｔ２に設定された時間間隔Ｔで振動させるように、モータドライバ４０から駆動電圧が振動モータ４２に付与される。
【００９７】
一方、ステップＳ９で“ＮＯ”であれば、つまりマナーフラグ７４ｆがオフであれば、マナーモードが設定されていないと判断し、ステップＳ１３で、サイレントモードが設定されているかどうかを判断する。つまり、プロセッサ２６は、サイレントフラグ７４ｇがオンであるかどうかを判断する。
【００９８】
ステップＳ１３で“ＹＥＳ”であれば、つまりサイレントフラグ７４ｇがオンであれば、サイレントモードが設定されていると判断して、ステップＳ１５で、音量Ｖに設定音量Ｖ０を設定して（Ｖ＝Ｖ０）、ステップＳ１７に進む。ただし、設定音量Ｖ０は音量なしである（Ｖ０＝０）。
【００９９】
一方、ステップＳ１３で“ＮＯ”であれば、つまりサイレントフラグ７４ｇがオフであれば、サイレントモードが設定されていないと判断して、ステップＳ１７で、音量Ｖで着信音の出力を開始し、ステップＳ１９に進む。ステップＳ１７では、プロセッサ２６は、設定音量Ｖａ１または微弱音量Ｖａ２に設定された音量Ｖで、着信音を鳴らすように、アンプ２２ｂを制御し種類情報が示す着信音に対応する音データをＤ／Ａ変換器２０ｂに出力する。ただし、種類情報は、着信設定データ７４ｃに対応する電話着信についての着信設定から得られる。
【０１００】
ステップＳ１９では、ＬＥＤ４４を点滅開始する。たとえば、プロセッサ２６は、ＬＥＤ４４に所定の時間間隔Ｔｄで電圧を供給および停止する。ただし、時間間隔Ｔｄは、点灯パターンによって決定される。そして、ステップＳ２１で、着信タイマ７４ｉをリセットおよびスタートする。つまり、着信通知時間のカウントが開始される。
【０１０１】
図７に示すように、次のステップＳ２３では、電話着信に対して通信を切断する（着信を拒否する）かどうかを判断する。つまり、終話キーが操作されたかどうかを判断する。具体的には、プロセッサ２６は、操作データバッファ７４ａに記憶された現フレームのキーデータが終話キーのキーデータであるかどうかを判断する。ステップＳ２３で“ＹＥＳ”であれば、つまり終話キーが操作されると、電話着信に対して通信を切断すると判断し、ステップＳ２５で、着信音の出力または振動を停止し、ステップＳ２７で、ＬＥＤ４４を消灯して、ステップＳ３９に進む。
【０１０２】
一方、ステップＳ２３で“ＮＯ”であれば、つまり終話キーが操作されていなければ、電話着信に対して通信を切断しないと判断し、ステップＳ２９で、電話着信に対して応答するかどうかを判断する。つまり、通話キーが操作されたかどうかを判断する。具体的には、プロセッサ２６は、操作データバッファ７４ａに記憶された現フレームのキーデータが通話キーのキーデータであるかどうかを判断する。ステップＳ２９で“ＹＥＳ”であれば、つまり通話キーが操作されると、ステップＳ３１で、着信音の出力または振動を停止し、ステップＳ３３で、ＬＥＤ４４を消灯し、ステップＳ３５で、通話処理を実行する。そして、ステップＳ３７では、終話（通話の終了）であるかどうかを判断する。つまり、プロセッサ２６は、終話キーが操作されたり、通話相手や移動通信網から通話終了信号を受信したりしたかどうかを判断する。
【０１０３】
ステップＳ３７で“ＮＯ”であれば、つまり通話の終了でなければ、ステップＳ３５に戻って、通話処理を継続する。一方、ステップＳ３７で“ＹＥＳ”であれば、つまり通話の終了であれば、ステップＳ３９で、通信を切断して、図６に示したステップＳ１に戻る。
【０１０４】
また、ステップＳ２９で“ＮＯ”であれば、つまり通話キーが操作されなければ、ステップＳ４１で、携帯電話機１０を裏返したかどうかを判断する。ここでは、プロセッサ２６は、加速度データバッファ７４ｂに記憶された加速データに対応するＺ軸方向の加速度がｇから−ｇに変化したかどうか、または−ｇからｇに変化したかどうかを判断する。ただし、Ｚ軸方向の加速度は、ｇまたは−ｇに完全に一致する必要は無く、それらに近似する値であればよい。以下、同様である。
【０１０５】
ステップＳ４１で“ＮＯ”であれば、つまり携帯電話機１０を裏返しにしていなければ、そのままステップＳ４７に進む。一方、ステップＳ４１で“ＹＥＳ”であれば、つまり携帯電話機１０を裏返しにすれば、ステップＳ４３で、サイレントモードが設定されているかどうかを判断する。ステップＳ４３で“ＹＥＳ”であれば、つまりサイレントモードが設定されていれば、そのままステップＳ４７に進む。一方、ステップＳ４３で“ＮＯ”であれば、つまりサイレントモードが設定されていなければ、ステップＳ４５で、音量Ｖに微弱音量Ｖ２を設定し、時間間隔Ｔに最大時間Ｔ２を設定して、ステップＳ４７に進む。つまり、ステップＳ４５の処理によって、音量Ｖが低減されたり、振動の強度が低減されたりする。
【０１０６】
ステップＳ４７では、所定時間Ｔａ（着信通知時間）を経過したかどうかを判断する。ここでは、プロセッサ２６は、着信タイマ７４ｉのカウント値が所定時間Ｔａ（たとえば、１０−３０秒）を経過したかどうかを判断するのである。ステップＳ４７で“ＮＯ”であれば、つまり所定時間Ｔａを経過していなければ、そのままステップＳ２３に戻る。一方、ステップＳ４７で“ＹＥＳ”であれば、つまり所定時間Ｔａを経過すれば、ステップＳ４９で、着信音の出力または振動を停止し、ステップＳ５１で、ＬＥＤ４４を消灯して、ステップＳ３９に進む。
【０１０７】
なお、図示は省略するが、ステップＳ４７で“ＹＥＳ”の場合には、留守番メッセージサービスに切り替えたり、メッセージの録音モードに切り替えたりして、発信者のメッセージを記録するようにしてもよい。ただし、留守番メッセージサービスに切り替えられる場合には、発信者の端末は、キャリアのサーバに接続される。また、メッセージの録音モードでは、電話に出られない旨のメッセージが送信された後に、発信者のメッセージに対応するデータ（メッセージデータ）がＲＡＭ３４に一旦記憶された後に、フラッシュメモリ３４に保存される。
【０１０８】
また、この実施例では、電話着信に対して、終話キーが操作された場合には、通信を切断するようにしてあるが、これに限定される必要はない。たとえば、通話を保留するようにしてもよい。通話が保留される場合には、その後、通話キーを操作すると、通話処理が実行される。また、通話が保留されている場合に、たとえば、終話キーが操作されると、通信が切断される。
【０１０９】
図８および図９は、プロセッサ２６のメール着信処理を示すフロー図である。以下、メール着信処理について説明するが、電話着信処理と同じ処理については、簡単に説明することにする。
【０１１０】
図８に示すように、プロセッサ２６は、待ち受け状態で、メール着信処理を開始すると、ステップＳ７１で、新着メール通知が有るかどうかを判断する。ここでは、プロセッサ２６は、メールサーバからの新着メール通知を、アンテナ１２および無線通信回路１４を介して受信したか否かを判断する。
【０１１１】
ステップＳ７１で“ＮＯ”であれば、つまり新着メール通知が無ければ、そのまま同じステップＳ７１に戻って、新着メール通知が有るのを待機する。つまり、待ち受け状態が継続する。ただし、ステップＳ７１で“ＮＯ”の場合には、所定時間（たとえば、５分）を経過した後に、ステップＳ７１に戻るようにしてもよい。一方、ステップＳ７１で“ＹＥＳ”であれば、つまり新着メール通知が有れば、ステップＳ７３で、音量Ｖおよび時間間隔Ｔを初期化する（Ｖ＝Ｖｂ１、Ｔ＝Ｔ１）。
【０１１２】
続くステップＳ７５では、携帯電話機１０が裏向きかどうかを判断する。ステップＳ７５で“ＹＥＳ”であれば、ステップＳ７７で、音量Ｖに微弱音量Ｖｂ２を設定するとともに、時間間隔Ｔに最大時間Ｔ２を設定して、ステップＳ７９に進む。一方、ステップＳ７５で“ＮＯ”であれば、ステップＳ７９で、マナーモードが設定されているかどうかを判断する。ステップＳ７９で“ＹＥＳ”であれば、ステップＳ８１で、時間間隔Ｔで振動を開始して、ステップＳ８９に進む。一方、ステップＳ７９で“ＮＯ”であれば、ステップＳ８３で、サイレントモードが設定されているかどうかを判断する。
【０１１３】
ステップＳ８３で“ＹＥＳ”であれば、ステップＳ８５で、音量Ｖに設定音量Ｖｂ０を設定して、ステップＳ８７に進む。一方、ステップＳ８３で“ＮＯ”であれば、ステップＳ８７で、音量Ｖで着信音の出力を開始して、ステップＳ８９に進む。
【０１１４】
ステップＳ８９では、ＬＥＤ４４の点滅を開始する。次のステップＳ９１では、着信タイマ７４ｉをリセットおよびスタートする。続いて、図９に示すステップＳ９３では、着信通知の終了操作が有るかどうかを判断する。ここでは、何らかのキーが操作されたかどうかを判断する。具体的には、プロセッサ２６は、操作データバッファ７４ａを参照して、現フレームのキーデータが記憶されているかを判断する。
【０１１５】
ステップＳ９３で“ＹＥＳ”であれば、つまり着信通知の終了操作が有る場合には、そのままステップＳ９９に進む。一方、ステップＳ９３で“ＮＯ”であれば、つまり着信通知の終了操作が無い場合には、ステップＳ９５で、携帯電話機１０を裏返したかどうかを判断する。ステップＳ９５で“ＹＥＳ”であれば、そのままステップＳ９９に進む。一方、ステップＳ９５で“ＮＯ”であれば、ステップＳ９７で、着信音の出力や振動の開始から所定時間Ｔｂ（着信通知時間）を経過したかどうかを判断する。
【０１１６】
ステップＳ９７で“ＮＯ”であれば、つまり着信音の出力または振動の開始から所定時間Ｔｂを経過していなければ、そのままステップＳ９３に戻る。一方、ステップＳ９７で“ＹＥＳ”であれば、つまり着信音の出力または振動の開始から所定時間Ｔｂを経過すれば、ステップＳ９９で、着信音の出力または振動を停止し、ステップＳ１０１で、ＬＥＤ４４を消灯して、図８に示したステップＳ７１に戻る。
【０１１７】
図１０および図１１は、プロセッサ２６のアラーム処理を示すフロー図である。以下、アラーム処理について説明するが、上述した電話着信処理と同じ処理については簡単に説明することにする。
【０１１８】
図１０に示すように、プロセッサ２６は、待ち受け状態で、アラーム処理を開始すると、ステップＳ１３１で、アラームの設定日時かどうかを判断する。ここでは、プロセッサ２６は、アラーム設定データ７４ｄを参照して、ＲＴＣ２６ａで計測される現在時刻（月日を含む）が、時刻情報および月日情報で示される日時と一致するかどうかを判断する。
【０１１９】
ステップＳ１３１で“ＹＥＳ”であれば、つまりアラームの設定日時であれば、ステップＳ１３５に進む。一方、ステップＳ１３１で“ＮＯ”であれば、つまりアラームの設定日時でなければ、ステップＳ１３３で、スヌーズ通知の時間かどうかを判断する。つまり、プロセッサ２６は、スヌーズタイマ７４ｋのカウント値がスヌーズ間隔で示す時間になったかどうかを判断する。ステップＳ１３３で“ＮＯ”であれば、つまりスヌーズタイマ７４ｋのカウント値がスヌーズ間隔で示す時間でなければ、ステップＳ１３１に戻って、アラームの設定日時やスヌーズ通知の時間になるのを待機する。つまり、待ち受け状態が継続される。一方、ステップＳ１３３で“ＹＥＳ”であれば、スヌーズタイマ７４ｋのカウント値がスヌーズ間隔で示す時間であれば、ステップＳ１３５で、音量Ｖおよび時間間隔Ｔを初期化する（Ｖ＝Ｖｃ１、Ｔ＝Ｔ１）。
【０１２０】
続くステップＳ１３７では、マナーモードが設定されているかどうかを判断する。ステップＳ１３７で“ＹＥＳ”であれば、ステップＳ１３９で、時間間隔Ｔで振動を開始し、ステップＳ１４７に進む。一方、ステップＳ１３７で“ＮＯ”であれば、ステップＳ１４１で、サイレントモードが設定されているかどうかを判断する。ステップＳ１４１で“ＹＥＳ”であれば、ステップＳ１４３で、音量Ｖに設定音量Ｖｃ０を設定して、ステップＳ１４５に進む。一方、ステップＳ１４１で “ＮＯ”であれば、ステップＳ１４５で、音量Ｖでアラーム音の出力を開始して、ステップＳ１４７に進む。
【０１２１】
なお、ステップＳ１４５では、アラーム音についての音データが出力される以外は、上述したステップＳ１７の着信音の出力開始の処理と同じである。
【０１２２】
ステップＳ１４７では、ＬＥＤ４４の点滅を開始する。続く、ステップＳ１４９では、アラームタイマ７４ｊをリセットおよびスタートする。図１１に示すように、次のステップＳ１５１では、アラームの停止かどうかを判断する。ここでは、アラーム音の出力時間がアラーム報知時間（所定時間Ｔｃ）を経過したり、使用者によって何らかのキーが操作されたり、携帯電話機１０が裏返しにされたりしたかどうかを判断する。具体的には、プロセッサ２６は、アラームタイマ７４ｊのカウント値が所定時間Ｔｃを経過したかどうかを判断する。また、プロセッサ２６は、操作データバッファ７４ａを参照して、現フレームのキーデータが記憶されているかを判断する。さらに、プロセッサ２６は、加速データバッファ７４ｂを参照して、Ｚ軸方向の加速度が−ｇからｇに変化したり、ｇから−ｇに変化したりしたかどうかを判断する。これらのいずれかが満たされる場合には、アラームの停止であると判断し、いずれも満たされていない場合には、アラームの停止でないと判断する。
【０１２３】
ステップＳ１５１で“ＮＯ”であれば、つまりアラームの停止でなければ、ステップＳ１５３で、スヌーズの解除かどうかを判断する。ここでは、プロセッサ２６は、操作データバッファ２６を参照して、カーソルキーおよび決定キーの操作によって、スヌーズを解除することが指示されたかどうかを判断する。ステップＳ１５３で“ＮＯ”であれば、つまりスヌーズの解除でなければ、そのままステップＳ１５１に戻る。
【０１２４】
一方、ステップＳ１５３で“ＹＥＳ”であれば、つまりスヌーズの解除であれば、ステップＳ１５５で、アラーム音の出力または振動を停止する。続くステップＳ１５７では、ＬＥＤ４４を消灯する。続いて、ステップＳ１５９で、アラームが１回だけであるかどうかを判断する。つまり、プロセッサ２６は、アラーム設定データ７４ｄを参照して、月日情報が示す月日が１日だけであるかどうかを判断する。
【０１２５】
ステップＳ１５９で“ＮＯ”であれば、つまりアラームが１回だけでなければ、そのまま図１０に示したステップＳ１３１に戻る。一方、ステップＳ１５９で“ＹＥＳ”あれば、つまりアラームが１回だけであれば、ステップＳ１６１で、アラームの実行情報を無効にして、ステップＳ１３１に戻る。ただし、アラームの実行情報が無効の場合には、当該アラーム処理のタスクを終了するようにしてもよい。
【０１２６】
また、ステップＳ１５１で“ＹＥＳ”であれば、つまりアラームの停止であれば、ステップＳ１６３で、アラーム音の出力または振動を停止し、ステップＳ１６５で、ＬＥＤ４４を消灯して、ステップＳ１６７で、スヌーズが設定されているかどうかを判断する。ステップＳ１６７では、プロセッサ２６は、アラーム設定データ７４ｄを参照して、スヌーズ機能が有効であるかどうかを判断するのである。
【０１２７】
ステップＳ１６７で“ＮＯ”であれば、つまりスヌーズが設定されていなければ、ステップＳ１５９に進む。一方、ステップＳ１６７で“ＹＥＳ”であれば、つまりスヌーズが設定されていれば、ステップＳ１６９で、スヌーズタイマ７４ｋをリセットおよびスタートして、図１０に示したステップＳ１３５に戻る。
【０１２８】
この実施例によれば、携帯電話機を裏返すことにより、音や振動を低減または停止させるので、音や振動の発生が不適切な場所や場合であっても、直感的な操作で簡単に音や振動を低減または停止させることができる。また、携帯電話機を裏返すことにより、音や振動を低減または停止させるだけであり、それによって、通信が切断されることはないため、音や振動の発生が不適切な場所や場合から退避すれば、そのまま着信に対して応答することができる。つまり、継続使用が容易である。
【０１２９】
なお、上述の実施例では、折り畳み式の携帯電話機についてのみ説明したが、これに限定される必要はない。携帯電話機の姿勢や姿勢の変化を検出することができれば、ストレート型の携帯電話機、スライド式の携帯電話機、または、いわゆるスマートフォンにも適用することができる。
【０１３０】
また、上述の実施例では、キー入力装置のようなハードウェアキーを用いる場合についてのみ説明したが、タッチパネルを設けることにより、ソフトウェアキーを用いることもできる。
【０１３１】
さらに、上述の実施例では、加速度センサからの加速度データが示すＺ軸方向の加速度の変化に応じて、携帯電話機が裏返しにされたかどうかを判断し、裏返しにされたことが判断された場合に、着信音やアラーム音の出力または振動を停止したり、音量や振動の強度を低減したりするようにしたが、これに限定される必要はない。携帯電話機を所定の角度（たとえば、４５度）以上傾けたり、一回転させたり、携帯電話機を置いた状態から持ち上げたり、移動させたりした場合に、着信音やアラーム音の出力を停止したり、音量や振動の強度を低減したりするようにしてもよい。
【０１３２】
ただし、所定の角度以上傾けているかどうかは、図２に示した状態において、加速度センサの座標系のＹ軸回りに回動させて携帯電話機を傾ける場合には、その姿勢を判断するために、Ｘ軸方向とＺ軸方向とで検出される加速度の数値ないし数値範囲を予め設定しておけばよい。また、図２に示した状態において、加速度センサの座標系のＸ軸回りに回動させて携帯電話機を傾ける場合には、その姿勢を判断するために、Ｙ軸方向とＺ軸方向とで検出される加速度の数値ないし数値範囲を予め設定しておけばよい。また、一回転させたかどうかは、Ｘ軸方向、Ｙ軸方向またはＺ軸方向の加速度の変化で知ることができる。たとえば、図２（Ａ）に示す状態において、加速度センサの座標系のＹ軸回りに携帯電話機を一回転させた場合には、Ｘ軸方向の加速度は、０→ｇ（−ｇ）→０→−ｇ（ｇ）→０と変化する。このとき、Ｚ軸方向加速度は、−ｇ→０→ｇ→０→−ｇと変化する。他の軸回りに携帯電話機を回転させる場合も同様である。
【０１３３】
また、上述したように、加速度センサに代えてジャイロセンサを設ける場合には、角速度の変化の無い状態から所定値以上の角速度の変化を検出した場合に、携帯電話機の姿勢が変化されたことが検出される。
【０１３４】
さらに、上述の実施例では、簡単のため、バイブレータ機能については省略したが、通常モードやサイレントモードにおいてバイブレータ機能が有効にされた場合には、着信通知やアラーム報知のタイミングで、振動モータを駆動し、着信通知やアラーム報知の終了のタイミングで、振動モータを停止すればよい。具体的には、電話着信処理の場合には、ステップＳ１７の処理と同時期に、振動モータが駆動開始され、ステップＳ２５またはステップＳ４９の処理と同時期に、振動モータが停止される。また、メール着信処理の場合には、ステップＳ８７の処理と同時期に、振動モータが駆動開始され、ステップＳ９９の処理と同時期に、振動モータが停止される。さらに、アラーム処理の場合には、ステップＳ１４５の処理と同時期に、振動モータが駆動開始され、ステップＳ１５５またはステップＳ１６３の処理と同時期に、振動モータが停止される。
【０１３５】
さらにまた、上述の実施例では、電話着信に応じて着信音や振動を発生している場合に、携帯電話機が裏返しにされると、着信音の音量や振動の強さを低減するようにしたが、着信音の出力や振動を停止するようにしてもよい。
【０１３６】
また、上述の実施例では、駆動電圧を印加する第１期間を固定し、駆動電圧を印加しない第２期間を変化させることにより、振動の強度を変化させるようにしたが、第２期間を固定し、第１期間を変化させるようにしてもよい。かかる場合には、第１期間が長い程、振動の強度が高く、第１期間が短い程、振動の強度が低い。
【０１３７】
さらに、上述の実施例では、通信方式として、ＣＤＭＡ方式を採用するようにしてあるが、これに限定される必要は無く、ＬＴＥ(Long Term Evolution)方式、Ｗ−ＣＤＭＡ方式、ＧＳＭ方式、ＴＤＭＡ方式、ＦＤＭＡ方式およびＰＨＳ方式などの他の方式が採用されてもよい。
【０１３８】
さらにまた、以上の説明で挙げた所定時間（時間間隔を含む）、音量レベル、振動強度、加速度などの具体的数値は、いずれも単なる一例であり、製品の仕様などの必要に応じて適宜変更可能である。
【符号の説明】
【０１３９】
１０  …携帯電話機
１４  …無線通信回路
１８  …マイク
２２ａ、２２ｂ  …アンプ
２４ａ、２４ｂ  …スピーカ
２６  …プロセッサ
２８  …キー入力装置
３２  …ディスプレイ
３４  …フラッシュメモリ
３６  …ＲＡＭ
３８  …加速度センサ
４２  …振動モータ
４４  …ＬＥＤ
【図１】
0006001133.tif 000002
【図２】
0006001133.tif 000003
【図３】
0006001133.tif 000004
【図４】
0006001133.tif 000005
【図５】
0006001133.tif 000006
【図６】
0006001133.tif 000007
【図７】
0006001133.tif 000008
【図８】
0006001133.tif 000009
【図９】
0006001133.tif 000010
【図１０】
0006001133.tif 000011
【図１１】
0006001133.tif 000012